(57)【要約】【課題】  簡単な構成で撮影補助光の配光を自在に変えることができる発光部を備えた撮影装置を提供する。【解決手段】  測光・測距ＣＰＵ１２０が、撮影に合わせて、メインＣＰＵ１１０から通知されてくる各測距領域の測距情報示に基づいて、ＬＥＤ発光制御部１６ａに、撮影画角内が二次元的に分割された複数の照射領域それぞれに向けて独立に制御された撮影補助光を照射させる。測光・測距ＣＰＵ１２０が、ＬＥＤ発光制御部１６ａに、９つのＬＥＤ１６０ａ〜１６８ａそれぞれの光量を調節させることにより各照射領域それぞれに向けて配光が整えられた撮影補助光を照射させる。【選択図】  図２
2006227380.tif 000002
【特許請求の範囲】
【請求項１】
撮像素子を備え該撮像素子上に被写体像を結像して画像信号を生成する撮影装置において、
撮影時に、撮影画角内が二次元的に分割された複数の照射領域それぞれに向けて独立に制御された撮影補助光を照射する発光部と、
撮影画角内に設定された複数の測距領域それぞれについて測距を行う測距部と、
前記発光部に、前記複数の照射領域それぞれに向けて、撮影補助光を、前記測距部での測距結果に応じて照射させる発光制御部とを備えたことを特徴とする撮影装置。
【請求項２】
前記複数の測距領域が前記複数の照射領域と一対一に対応した領域であることを特徴とする請求項１記載の撮影装置。
【請求項３】
この撮影装置が、複数の撮影モードを有し、
前記発光制御部が、前記発光部に、前記複数の照射領域それぞれに向けて、撮影補助光を、前記測距結果に応じると共に撮影モードに応じて照射させるものであることを特徴とする請求項１記載の撮影装置。
【請求項４】
撮像素子を備え該撮像素子上に被写体像を結像して画像信号を生成する、複数の撮影モードを有する撮影装置において、
撮影時に、撮影画角内が二次元的に分割された複数の照射領域それぞれに向けて独立に制御された撮影補助光を照射する発光部と、
撮影画角内に設定された複数の測距領域の中から選択された測距領域について測距を行なう測距部と、
前記発光部に、前記複数の照射領域それぞれに向けて撮影補助光を、前記測距部での測距結果に応じるとともに前記撮影モードに応じても照射させる発光制御部とを備えたことを特徴とする撮影装置。
【請求項５】
撮像素子を備え該撮像素子上に被写体像を結像して画像信号を生成する、複数の撮影モードを有する撮影装置において、
撮影時に、撮影画角内が二次元的に分割された複数の照射領域それぞれに向けて、撮影補助光を独立に照射する発光部と、
前記発光部に、前記複数の照射領域それぞれに向けて撮影補助光を、撮影モードに応じて照射させる発光制御部とを備えたことを特徴とする撮影装置。
【請求項６】
撮像素子を備え該撮像素子上に被写体像を結像して画像信号を生成する撮影装置において、
撮影時に、撮影画角内が二次元的に分割された複数の照射領域それぞれに向けて独立に制御された撮影補助光を照射する発光部と、
この撮影装置の姿勢を検出する姿勢検出部と、
前記発光部に、前記複数の領域それぞれに向けて、撮影補助光を、前記姿勢検出部で検出された姿勢に応じて照射させる発光制御部とを備えたことを特徴とする撮影装置。
【請求項７】
撮像素子を備え該撮像素子上に被写体像を結像して画像信号を生成する撮影装置において、
撮影時に、撮影画角内が二次元的に分割された複数の照射領域それぞれに向けて独立に制御された撮影補助光を照射する発光部と、
撮影画角内に設定された前記複数の測光領域それぞれについて測光を行なう測光部と、
前記発光部に、前記複数の照射領域それぞれに向けて、撮影補助光を、前記測光部での測光結果に応じて照射させる発光制御部とを備えたことを特徴とする撮影装置。
【請求項８】
前記複数の測光領域が、前記複数の照射領域と一対一に対応した領域であることを特徴とする請求項７記載の撮影装置。
【請求項９】
前記発光部は、前記複数の照射領域に向けて独立に制御された撮影補助光を照射する複数のＬＥＤを備えたものであることを特徴とする請求項１から８のうちのいずれか１項記載の撮影装置。
【請求項１０】
前記発光制御部は、前記発光部に、前記複数の照射領域に向けた撮影補助光の照射をオンオフさせるものであることを特徴とする請求項１から８のうちのいずれか１項記載の撮影装置。
【請求項１１】
前記発光制御部は、前記発光部に、前記複数の照射領域に向けた撮影補助光の発光光量を調整させるものであることを特徴とする請求項１から８のうちのいずれか１項記載の撮影装置。
【発明の詳細な説明】
【技術分野】
【０００１】
本発明は、撮像素子を備え、その撮像素子上に被写体像を形成して画像信号を生成する撮影装置に関する。
【背景技術】
【０００２】
青色発光ダイオードの出現により、白色光を発光ダイオードで生成することもできるようになってきたため、今後の電力消費量を軽減することを考えて消費電力の大きな白熱灯を、消費電力の小さなＬＥＤに切り替えていこうという動きがある。このような動きはデジタルカメラの世界にも波及してきており、いままで撮影補助光用に用いられていたキセノン管の代わりに上記ＬＥＤを適用しようとする動きが活発になってきている（例えば、特許文献１参照）。
【０００３】
ところで、最近、撮影画角内に設定された複数の領域それぞれについて測距や測光が個別に行なえる撮影装置が発売されている。このような撮影装置の中には、操作によりＡＦエリアを自在に選択することができるＡＦエリアモードや高い被写体コントラストを持つ部分に自動的にＡＦエリアが設定されるオートエリアＡＦモードなどの撮影モードを備えているものもある。
【０００４】
このような撮影装置においては、ＡＦエリアが中央に固定されずに撮影シーンに応じていろいろな領域に自在に設定されるようになるため、撮影補助光を伴う撮影を行なうにあたっては以前のように被写体の中央領域に向けて撮影補助光を照射させれば良いというものではなくなってきている。
【０００５】
このようにＡＦエリアがいろいろな領域に設定される撮影装置に、いままでの撮影装置に配備されていたキセノン管を備えた発光部を配備しようとすると、撮影シーンに応じて反射鏡をピント領域の方向へ向けるようにするであるとか、いろいろな形状の反射鏡（レンズでも良い）を用意しておいて適宜いずれかの反射鏡（またはレンズ）を光路内に挿入するであるとかの構成が必要になる。
【０００６】
また、従来より、キセノン管を用いると、配光がどうしてもキセノン管自体の照射分布に依存してしまって中央領域に過度の撮影補助光が照射され過ぎてそれ以外の部分にはあまり補助光が照射されずに周辺光量が低下したり、遠距離被写体が暗くなるといった問題がある。このような問題は、ポートレート撮影のように撮影画角内に遠近差のある被写体が混在するような撮影シーンの場合により多く発生する。
【特許文献１】特開２００１−２１５５７９号公報
【発明の開示】
【発明が解決しようとする課題】
【０００７】
本発明は、上記事情に鑑み、簡単な構成でしかも撮影シーンに応じて好適な配光で撮影補助光を被写体に向けて照射させることができる発光部を備えた撮影装置を提供することを目的とする。
【課題を解決するための手段】
【０００８】
上記目的を達成する本発明の第１の撮影装置は、撮像素子を備えその撮像素子上に被写体像を結像して画像信号を生成する撮影装置において、
撮影時に、撮影画角内が二次元的に分割された複数の照射領域それぞれに向けて独立に制御された撮影補助光を照射する発光部と、
上記撮影画角内に設定された複数の測距領域それぞれについて測距を行う測距部と、
上記発光部に、上記複数の照射領域それぞれに向けて、撮影補助光を、上記測距部での測距結果に応じて照射させる発光制御部とを備えたことを特徴とする。
【０００９】
上記本発明の撮影装置によれば、撮影時に、上記発光制御部の制御の基、上記発光部によって、撮影画角内が二次元的に分割された複数の照射領域それぞれに向けて独立に制御された撮影補助光が照射される。例えば発光部を複数のＬＥＤで構成してそれらを二次元的に配列しさらに個々のＬＥＤの発光・消灯もしくは光量を調節する構成にするのは比較的容易である。そのような構成にしておいて、上記発光制御部が発光部内の各ＬＥＤの発光の制御を行なうようにしておけば、照射領域それぞれに向けて独立に制御された撮影補助光が照射されるようになる。
【００１０】
さらに上記発光制御部に複数の測距領域それぞれの測距結果が上記測距部から伝達されていたとすると、上記発光制御部は、上記発光部に、上記測距部によって近距離であるという測距結果が得られた領域については上記発光源例えば上記複数のＬＥＤであれば、上記複数のＬＥＤのうちのいずれかのＬＥＤの光量を抑制するようにし、上記測距部によって遠距離であるという測距結果が得られた領域については上記発光源例えば上記複数のＬＥＤであればいずれかのＬＥＤの光量を多めにするようにして配光のバランスを整えてから撮影補助光の照射を行なわせることができるようになる。このようにしておくと、撮影画角内の中央領域以外の領域にピントが設定されて撮影が行なわれるような撮影シーンであっても、前述のポートレート撮影のような撮影シーンであっても輝度のアンバランスが生じるといった問題が見事に解決される。
【００１１】
すなわち、簡単な構成で撮影補助光の配光を自在に変えることができる発光部を備えた撮影装置が提供される。
【００１２】
ここで、上記複数の測距領域が上記複数の照射領域と一対一に対応した領域であっても良い。
【００１３】
上記のように上記複数の測距領域と複数の領域とが一対一に対応するようになっていると、各領域ごとの測距結果に応じて各領域ごとに光量を調節して配光を整えてから撮影補助光を照射することができる。そうすると、被写体に応じて各領域ごとに撮影補助光を照射させるかさせないかを切り替えることにより配光を整えて撮影補助光を照射することも、各領域ごとの光量を調節することにより配光を整えて撮影補助光を照射することもできる。
【００１４】
また、この撮影装置が、複数の撮影モードを有し、
上記発光制御部が、上記発光部に、上記複数の照射領域それぞれに向けて、撮影補助光を、上記測距結果に応じると共に撮影モードに応じて照射させるものであることが好ましい。
【００１５】
そうすると、撮影時に、測距結果に応じるととともに指定された撮影モードに応じて配光が整えられて撮影補助光が被写体に向けて照射されるようになる。
【００１６】
例えば撮影装置が撮影モードとしてポートレートモードを有していてそのポートレートモードが指定され撮影が行なわれる場合には、被写体内の各領域の測距結果に応じて近距離にいる人物に対しては光量を少なめになるように、それ以外の領域に対しては光量が多めになるように配光を整えて撮影補助光の照射が行なわれるようになる。
【００１７】
このようになると中央の人物に過度に撮影補助光が照射され過ぎて輝度にアンバランスを生じさせるようなことが防止される。
【００１８】
また、上記目的を達成する本発明の第２の撮影装置は、撮像素子を備えその撮像素子上に被写体像を結像して画像信号を生成する、複数の撮影モードを有する撮影装置において、
撮影時に、撮影画角内が二次元的に分割された複数の照射領域それぞれに向けて撮影補助光を独立に照射する発光部と、
撮影画角内に設定された複数の測距領域の中から選択された測距領域について測距を行なう測距部と、
上記発光部に、上記複数の照射領域それぞれに向けて撮影補助光を、上記測距部での測距結果に応じて照射させる発光制御部とを備えたことを特徴とする。
【００１９】
上記本発明の第２の撮影装置によれば、選択された測距領域に関する上記測距部での測距結果に基づいて、上記発光制御部の制御の基、上記発光部によって上記複数の照射領域それぞれに向けて独立に制御された、好適な配光を持つ撮影補助光が照射される。
【００２０】
いままでは、中央領域に撮影補助光が固定的に照射されるようになっていたため、上記選択された測距領域に撮影補助光を好適な配光で照射することが難しかったが、上記本発明の第２の撮影装置によれば、中央以外の領域であってもその領域に対応する照射領域の撮影補助光の光量を多めにして他の領域の光量を少なめにして撮影補助光を照射させるようなことができるため、配光が適応的に整えられてその選択された測距領域に向けて好適な撮影補助光が照射される。
【００２１】
すなわち、撮影シーンに応じて配光を自在に変えることができる発光部を備えた撮影装置が提供される。
【００２２】
上記目的を達成する本発明の第３の撮影装置は、撮像素子を備えその撮像素子上に被写体像を結像して画像信号を生成する、複数の撮影モードを有する撮影装置において、
撮影時に、撮影画角内が二次元的に分割された複数の照射領域それぞれに向けて撮影補助光を独立に照射する発光部と、
上記発光部に、上記複数の照射領域それぞれに向けて撮影補助光を、撮影モードに応じて照射させる発光制御部とを備えたことを特徴とする。
【００２３】
上記第３の撮影装置によれば、上記発光制御部の制御の基、上記発光部によって撮影モードに応じた配光で撮影補助光が照射される。
【００２４】
上記撮影モードとして例えば、グラデーション撮影モード等の特殊撮影モードが指定された場合には、そのグラデーションの方向に応じて配光が整えられて撮影補助光が照射される。つまりグラデーションの方向に応じて輝度に段階的な傾斜が付くように光量が調節されて撮影補助光が照射されるようになる。
【００２５】
すなわち、特殊な撮影シーンに応じても配光を自在に変えることができる発光部を備えた撮影装置が提供される。
【００２６】
ここで、上記目的を達成する本発明の第４の撮影装置は、撮像素子を備えその撮像素子上に被写体像を結像して画像信号を生成する撮影装置において、
撮影時に、撮影画角内が二次元的に分割された複数の照射領域それぞれに向けて独立に制御された撮影補助光を照射する発光部と、
この撮影装置の姿勢を検出する姿勢検出部と、
前記発光部に、前記複数の領域それぞれに向けて、撮影補助光を、前記姿勢検出部で検出された姿勢に応じて照射させる発光制御部とを備えたことを特徴とする。
【００２７】
上記第４の撮影装置によれば、上記発光制御部の制御の基、上記発光部によって上記姿勢検出部で検出された姿勢に応じた配光で撮影補助光が照射される。
【００２８】
例えばマクロ撮影などを行なおうとして下向き方向にこの撮影装置を傾けるようにして構えた場合には、上記姿勢検出部で下向き方向に傾けられた姿勢が検出され検出された姿勢に応じた配光で撮影補助光が照射される。
【００２９】
このようにして撮影装置の姿勢に応じても撮影補助光の配光を自在に変えることができる発光部を備えた撮影装置が提供される。
【００３０】
上記目的を達成する本発明の第５の撮影装置は、撮像素子を備え該撮像素子上に被写体像を結像して画像信号を生成する撮影装置において、
撮影時に、撮影画角内が二次元的に分割された複数の照射領域それぞれに向けて独立に制御された撮影補助光を照射する発光部と、
撮影画角内に設定された前記複数の測光領域それぞれについて測光を行なう測光部と、
前記発光部に、前記複数の照射領域それぞれに向けて、撮影補助光を、前記測光部での測光結果に応じて照射させる発光制御部とを備えたことを特徴とする。
【００３１】
上記本発明の第５の撮影装置によれば、各領域の測光結果に応じて配光が整えられて発光部から撮影補助光が照射される。
【００３２】
例えば、ポートレート撮影モード時に、室内灯などが被写体である人物の真上にあって真上から被写体に向けて撮影補助用の照明が行なわれていた場合には、すべての領域に同じ光量で撮影補助光を照射させると被写体の上方の輝度と下方の輝度との間にアンバランスを生じさせてしまうようなこともある。そのような場合には上記測光部が照射領域それぞれについて測光を行なった測光結果に応じて、上記発光制御部が、上記発光部に、上方から下方に向かうにしたがって光量が多くなるように配光を整えさせてから撮影補助光を照射させるようにすると、上記アンバランスを生じさせるようなことがなくなる。
【００３３】
ここで、上記複数の測光領域が、上記複数の照射領域と一対一に対応した領域であることが好ましく、上記発光部は、上記複数の照射領域に向けて独立に制御された撮影補助光を照射する複数のＬＥＤを備えたものであることが好ましい。なお、複数のＬＥＤが照射エリアは部分的に重なり合っていても良い。
【００３４】
このように複数の照射領域と一対一に対応した領域であると、各測光領域の測光結果に応じて撮影補助光の発光が必要な照射領域に対してのみ撮影補助光を照射させるようなことが行なえる。また、上記発光源が上記ＬＥＤであると、最近ＬＥＤに小型のものが開発されているので、小型の発光部を構成することができる。
【００３５】
また上記発光制御部は、上記発光部に、上記複数の照射領域に向けた撮影補助光の照射をオンオフさせるものであっても良く、上記複数の照射領域に向けた撮影補助光の発光光量を調整させるものであっても良い。
【００３６】
そうすると、上記発光制御部が、上記発光部に、各領域の測光結果に応じて、照射が必要な領域にのみ、撮影補助光を照射させたり、照射が必要な測光領域には多めの光量でその領域の周辺の領域には少なめの光量で撮影補助光を照射させたりすることができる。すなわち、撮影シーンに応じて配光を自在に変えて被写体に向けて照射させることができる。
【発明の効果】
【００３７】
以上、説明したように、簡単な構成でしかも撮影シーンに応じて好適な配光で撮影補助光を被写体に向けて自在に照射させることができる発光部を備えた撮影装置が実現される。
【発明を実施するための最良の形態】
【００３８】
以下、本発明の実施の形態について説明する。
【００３９】
図１は、本発明の撮影装置の一実施形態であるデジタルカメラを示す図である。
【００４０】
図１に本発明の一実施形態であるデジタルカメラの構成斜視図であり、図１（ａ）は正面上方から見た図、図１（ｂ）は背面上方から見た図である。
【００４１】
図１（ａ）に示すように、本実施形態のデジタルカメラ１００ではレンズ鏡胴１７０内に内蔵された撮影レンズを通してデジタルカメラ１００内部に配備されているＣＣＤ固体撮像素子まで被写体の像が導かれるようになっている。このデジタルカメラ１００では、後述するＣＣＤ固体撮像素子でスルー画や撮影画像を表す画像信号が生成される他、その画像信号に基づいてＴＴＬ測距およびＴＴＬ測光が後述するメインＣＰＵにより行われて被写体距離や被写体輝度が検出されるようにもなっている。
【００４２】
ＴＴＬ測距においては、撮影画角内が二次元的に分割された複数の測距領域それぞれについて測距が行なえるようになっており、ＴＴＬ測光においても、撮影画角内が二次元的に分割された複数の測光領域それぞれについて測光が行なえるようになっている。ここでは、測光領域と測距領域が一対一に対応するものとして以降の説明を行なう。
【００４３】
さらに本実施形態のデジタルカメラ１００では、撮影時に、撮影補助光を発光する発光部から撮影補助光発光窓１６０を通して、上記測光領域でもあり、上記測距領域でもある複数の照射領域それぞれに向けて、独立に制御された撮影補助光が適応的に照射されるようになっている。
【００４４】
また、図１（ｂ）に示すように本実施形態のデジタルカメラ１００の背面および上面にはユーザがこのデジタルカメラ１００を使用するときにいろいろな操作を行うための操作スイッチ群が設けられている。
【００４５】
この操作スイッチ群１０１の中にはデジタルカメラ１００を作動させるための電源スイッチ１０１ａのほか、十字キー１０１ｂ、メニュー／ＯＫキー１０１ｃ、キャンセルキー１０１ｄ、モードレバー１０１ｅなどがある。これらの操作子群の中のモードレバー１０１ｅによって再生モードと撮影モードの切替や撮影モードの中でさらに動画モード、静止画モードの切替が行なわれる。このモードレバー１０１ｅが撮影モードに切り替えられるとスルー画が表示されてそのスルー画を見ながらシャッタ釦１０２が押されると被写体の撮影が行なわれ、再生側に切り替えられると既撮影画像の再生表示がＬＣＤパネル１５０上に行なわれる。
【００４６】
また、このデジタルカメラ１００には、撮影モードの中にはエリア選択ＡＦモードやオートエリアＡＦモード等の多彩なＡＦモードが搭載されており、撮影モードに切り替えられているときにメニュー／ＯＫキー１０１ｃの操作によってＡＦモードのうちの例えばエリア選択ＡＦモードが選択されると、図１（ｂ）に示すように撮影画角内を複数に分割する分割補助線１５００がスルー画とともにＬＣＤパネル１５０上に表示されるようになっている。この状態にあるときにユーザによってそれらの分割された領域１５０１の中のいずれかの領域が十字キー１０１ｂの操作により選択されると、選択された領域がＡＦエリアとして設定されるようにもなっている。
【００４７】
また、撮影モードの中には、他に、各領域の輝度１５０１に意図的に傾斜を付けて撮影を行ないたいというときに用いられるグラデーションモードであるとか、自己撮影を行なうときに用いられるポートレートモードであるとか、被写体の一部にある影を撮影においては消去したいというようなときに用いられる日中シンクロ撮影モードであるとかも搭載されている。
【００４８】
本実施形態のデジタルカメラでは、後述する測光・測距ＣＰＵと、同じく後述するメインＣＰＵとの間のＣＰＵ間通信によりそれらのモードが設定されたことを測光・測距ＣＰＵが受けて、測光・測距ＣＰＵがそれらのモードに応じた配光で後述する発光部に撮影補助光の照射を被写体に向けて自在に行なわせることができるようにしている。詳細は後述する。
【００４９】
なお、シャッタ釦１０２は半押しと全押しの２つの操作態様を有しており、半押しされたときにＴＴＬ測光とＴＴＬ測距との双方が行なわれ測光値に応じた開口を持つ絞りが光軸にセットされ、またピント領域内の測距結果に応じた位置にフォーカスレンズが配置された後、全押し操作に応じて撮像素子に電子シャッタが設定され露光が行なわれて撮影が行なわれるようになっている。もしも半押し時に撮影補助光の照射が必要であると判定された場合には、全押し時に閃光発光窓１６０を通して図１（ｂ）に示した分割領域１５０１に対応する測光領域でもあり測距領域でもある照射領域それぞれに向けて独立に制御された撮影補助光が照射される。
【００５０】
図２は図１のデジタルカメラ１００の内部に配備された信号処理部の構成ブロック図である。
【００５１】
図２を参照してデジタルカメラ１００内にある信号処理部の構成を説明する。
【００５２】
図２はデジタルカメラ１００の内部に配備された信号処理部の構成ブロック図である。
【００５３】
本実施形態のデジタルカメラ１００ではすべての処理がメインＣＰＵ１１０によって制御されていて、このメインＣＰＵ１１０の入力部には図１（ｂ）に示した操作部の各種スイッチ群１０１からの操作信号がそれぞれ供給されている。メインＣＰＵ１１０はＥＥＰＲＯＭ１１０ａを有しており、このＥＥＰＲＯＭ１１０ａの中にはデジタルカメラ１００として動作するために必要なプログラムが書き込まれている。このような構成を持つデジタルカメラの電源スイッチ１０１ａが投入されると、ＥＥＰＲＯＭ１１０ａ内のプログラムの手順にしたがってＣＰＵ１１０によりこのデジタルカメラ１００全体の動作が統括的に制御される。
【００５４】
まず画像信号の流れを、図３を参照して説明する。
【００５５】
電源スイッチ１０１ａ（図１参照）が投入されたら、メインＣＰＵ１１０により電源スイッチ１０１ａが投入されたことが検知され、電源１３０からメインＣＰＵ１１０，測光測距ＣＰＵ１４０などの各ブロックに電力が供給される。電源１３０が投入されたときにモードレバー１０１ｅ（図１参照）が撮影側に切り替えられていた場合には、まずＣＣＤ固体撮影素子１１０に結像された被写体像が画像信号として所定の間隔ごとに間引かれて出力され、その出力された画像信号に基づく被写体像が画像表示ＬＣＤのＬＣＤパネル１５０上に表示される。このＣＣＤ固体撮像素子１１２にはクロックジェネレータ（以下、ＣＧという）１１２１からタイミング信号が供給されており、このタイミング信号によって所定の間隔ごとに、画像信号が間引かれて出力される。このＣＧ１１２１はＣＰＵ１１０からの指示に基づいてタイミング信号を出力しており、そのタイミング信号は、ＣＣＤ固体撮像素子１１２の他、後段のＡ／Ｄ部１１３、およびホワイトバランス調整・γ処理部１１４にも供給されている。したがって、ＣＣＤ固体撮像素子１１２、Ａ／Ｄ部１１３、ホワイトバランス・γ処理部１１４ではそのタイミング信号に同期して順序良く画像信号の処理が流れるように行なわれる。
【００５６】
このようにＣＰＵ１１０の指示に応じてＣＧ１１２１から出力されるタイミング信号に同期してＡ／Ｄ部１１３、ホワイトバランスγ処理部１１４で順序良く処理が行なわれた後、ホワイトバランス処理部からＹＣ処理部へと画像信号がバスを通して供給される。このバス１２１を通して画像信号を供給するにあたって、ホワイトバランスγ処理部１１４で順次処理されて出力されてくる画像信号をそのままバスを通してＹＣ処理部１１６へ転送するようにしてしまうと、ホワイトバランスγ処理部１１４とＹＣ処理部１１６との双方の処理タイミングにずれが生じてしまうことがあるため、後段にバッファメモリ１１５を設けて、ＹＣ処理部１１６への供給タイミングを調整することができるようにしている。そのバッファメモリ１１５からは古い時刻に記憶された画像信号から先にＹＣ処理部１１６へ供給される。そのＹＣ処理部１１６に供給された画像信号は、ＲＧＢ信号からＹＣ信号に変換され、その後バス１２１を経由してその変換されたＹＣ信号が画像表示ＬＣＤ１５側に供給される。この画像表示ＬＣＤ１５の前段にはＹＣ信号をＲＧＢ信号に変換するＹＣ→ＲＧＢ変換部１５１があり、このＹＣ→ＲＧＢ変換部１５１でＹＣ信号が再びＲＧＢ信号に変換され、その変換されたＲＧＢ信号がドライバ１５２を経由して画像表示ＬＣＤ１５に供給される。この供給されたＲＧＢ信号に基づいて画像表示ＬＣＤ１５のＬＣＤパネル１５０上に被写体像の画像表示が行なわれる。前述したＣＧ１１２１から出力されるタイミング信号に同期してＣＣＤ固体撮像素子１１２、Ａ／Ｄ部１１３、ホワイトバランスγ処理部部１１４が動作して、所定の間隔ごとにＣＣＤ固体撮像素子１１２で生成された画像信号が処理されている訳であるから、この画像表示ＬＣＤ１５の表示パネル１５０上には撮影レンズが向けられた方向の被写体が被写体像として常に表示され続ける。この表示され続けている被写体像を視認しながら、シャッタチャンスにシャッタ釦１０２が押されると、シャッタ釦１０２の押下タイミングを起点として所定の時間を経た後、ＣＣＤ固体撮像素子１１２に結像された画像信号すべてがＲＧＢ信号となって出力される。このＲＧＢ信号はＹＣ処理部１１６でＹＣ信号に変換されてさらに圧縮・伸張部１１７でＹＣ信号が圧縮され、その圧縮された画像信号がメモリカード１１９に記録される。この圧縮・伸張部１１７では静止画についてはＪＰＥＧ規格に準拠した圧縮方法で圧縮が行なわれてメモリカード１１９に画像信号が記録される。ヘッダ部には圧縮情報や撮影情報などが書き込まれており、このデジタルカメラ１００のモードレバー１０１ｅが再生側に切り替えられたら、メモリカード１１９からそのファイルのヘッダがまず読み出され、そのヘッダ内の圧縮情報に基づいてファイル内の圧縮画像信号が伸張されて画像信号が元に復元された後、その画像信号に基づく被写体像がＬＣＤパネル１５０上に表示される。
【００５７】
また、この実施形態のデジタルカメラ１００には、メインＣＰＵ１１０の他に焦点調整および露出調整を行なうための測光・測距ＣＰＵ１２０が設けられており、この測光・測距ＣＰＵ１２０によって撮影光学系のフォーカスレンズの位置制御や絞りの切り替え制御が行なわれている。さらにこの測光・測距ＣＰＵ１２０はＬＥＤ発光制御部１６ａの制御も行なっており、撮影補助光の発光が必要な場合にはそのＬＥＤ発光制御部１６ａに複数のＬＥＤ１６０ａ〜１６８ａそれぞれの発光光量を独立に制御させ、それらのうちの少なくとも一つに撮影補助光の照射を行なわせている。なお、本実施形態では、照射タイミングを画像フレームの処理タイミングにあわせるため、撮影補助光（フラッシュ）発光タイミング制御部１４０が設けられている。
【００５８】
この測光・測距ＣＰＵ１２０では焦点調整にあっては、例えばＡＦモードのうちの中央一点固定モードが指定されていた場合には、中央一点にＡＦエリアを固定してＡＦエリア（領域）内の測距結果に応じてフォーカスレンズを駆動し、またオートエリアＡＦモードが指定されていた場合には図１（ｂ）に示した分割補助線１５０１で分割された領域ごとに被写体コントラストを検出して最も被写体コントラストの大きくなる領域をＡＦエリア（領域）としてフォーカスレンズをそのＡＦエリア内の測距結果に応じた位置に駆動し、前述したＡＦエリア選択モードが指定されていた場合には、指定されたＡＦエリア（領域）内の測距結果に応じた位置にフォーカスレンズ１１１０を駆動する。
【００５９】
露出調整にあっては上記ＡＦエリア（領域）の測光結果およびそのほかの領域の測光結果がメインＣＰＵ１１０から測光・測距ＣＰＵ１０１に伝えられ、測光・測距ＣＰＵ１２０によって例えば平均的な輝度が算出され算出された輝度に応じて絞り１１１２の開口の大きさが調節されることによりＣＣＤ固体撮像素子１１２の撮影面に与えられる光量が調節される。
【００６０】
さらに、本実施形態のデジタルカメラにおいては、メインＣＰＵ１０１からの指示を受けて測光・測距ＣＰＵ１２０が測光結果や測距結果や撮影モードに応じてＬＥＤ発光制御部１６ａを制御してそのＬＥＤ発光制御部１６ａに撮影補助光の照射を行なわせてもいる。そのＬＥＤ発光制御部１６ａには９つのＬＥＤ１６０ａ〜１６８ａが配備されており、それらのＬＥＤ１６０ａ〜１６８ａの光量それぞれがＬＥＤ発光制御部１６ａにより調節されるようになっている。ここでは、ＬＥＤ発光制御部１６ａがそれぞれのＬＥＤ１６０ａ〜１６８ａに加える電圧の大きさをそれぞれ変えることにより光量を調節したり、駆動信号のデューティ比を変えるなどして光量を調節したりして、各領域ごとの撮影補助光の光量を独立に制御することにより配光を整えて撮影補助光の照射を被写体に向けて行なわせている。この測光・測距ＣＰＵ１２０が本発明にいう発光制御部にあたり、ＬＥＤ発光制御部１６ａとＬＥＤ１６０ａ〜１６８ａが本発明にいう発光部１６にあたる。なお、ここでは光量を調節することができるようにしているが、ＬＥＤそれぞれに電圧を加えるか、加えないかによりオンオフを制御するものであっても良い。また、このデジタルカメラの姿勢を検出する姿勢検出センサ１１０１も配備されている。
【００６１】
図３は、図１に示す鏡胴１７０に内蔵されている撮影光学系が捉える被写体領域を示す図である。
【００６２】
図３（ａ）にはその被写体領域に対応する撮影画角内が二次元的に分割された、上記複数のＬＥＤ１６０ａ〜１６８ａそれぞれが撮影補助光を照射する複数の照射領域１６０１ａ、１６１１ａ，１６２１ａ，１６３１ａ，１６４１ａ，１６５１ａ，１６６１ａ，１６８１ａそれぞれが示されており、図３（ｂ）はその撮影画角内に設定された測距領域１５０１１，１５０１２，１５０１３，１５０１４，１５０１５，１５０１６，１５０１７，１５０１８がそれぞれ示されている。
【００６３】
図３（ａ），（ｂ）には撮影画角内が３×３＝９分割された場合の例が示されており、この図３（ｂ）に示す測距領域と図３（ａ）に示す照射領域とは、それぞれ、一対一に対応している。なお、図３では隣接する領域との間に重なりが生じないように各ＬＥＤ１６０ａ〜１６８ａの照射領域がそれぞれ形成されている様に見えるが、実際には隣接する領域どうしに多少なりとも重なりが生じるように照射領域が形成されている。
【００６４】
このように、照射領域と測距領域とが一対一に対応していると、例えば操作によりオートエリアＡＦモードが指定された場合などにおいては、図３（ａ）に示す各照射領域１６０１ａ，１６２１ａ，１６３１ａ，１６４１ａ，１６５１ａ，１６６１ａ，１６７１ａ，１６８１ａごとにメインＣＰＵ１０１で測距を行なった後、その測距結果を受けて測光・測距ＣＰＵ１２０がＬＥＤ発光制御部１６ａに各照射領域ごとの光量を調節させることにより配光を整えさせてから撮影補助光の照射を被写体に向けて行なわせるようなことが行なえる。
【００６５】
ここで、ＥＥＲＰＯＭ１１０ａ内に記述されているプログラム中のメイン処理を説明して、次にそのメイン処理中の露光処理についてその詳細を説明する。
【００６６】
まず、メインＣＰＵ１１０が行なうメイン処理を、図４を参照して説明する。
【００６７】
図４は、撮影補助光を被写体に照射させて撮影を行なうときの、メインＣＰＵ１１０が行なうメイン処理の手順を示すフローチャートである。
【００６８】
ステップＳ４０１でレリーズ釦１０２が半押しされたら、ＡＥ処理つまりＴＴＬ測光を行ってその結果を測光・測距ＣＰＵ１２０に伝えて結果に応じて、測光・測距ＣＰＵ１２０に絞り１１２の開口を調節させる。次のステップＳ４０２でＡＦ処理を行なう。本実施形態のデジタルカメラにおいては、中央一点固定ＡＦモードや選択エリアＡＦモードやオートエリアＡＦモードといった多彩なＡＦモードを有しているので、このステップＳ４０２のＡＦ処理により、各領域ごとに輝度のサンプリングを行なって各領域ごとに被写体コントラストを求めて各領域内それぞれで最適な合焦点を検出したり、選択されたエリアに関してのみ合焦点を検出したり、中央の領域のみ合焦点を検出したりすることができる。
【００６９】
ここでは、ＡＦ処理を行なうにあたって、いずれのＡＦモードであっても測光・測距ＣＰＵ１２０にフォーカスレンズを移動させることを指示し、そのフォーカスレンズを移動させている最中に各領域もしくは所定の領域の被写体コントラストをサンプリングして合焦点を検出して、その合焦点位置および各領域で測定された被写体距離の結果を測光・測距ＣＰＵ１２０に通知するようにして、それらのＡＦ情報に応じて測光・測距ＣＰＵ１２０にフォーカスレンズ１１１０の移動を行なわせている。その後のステップＳ４０３でレリーズ釦１０２の全押し操作タイミングを検知したら今度はその検知タイミングを測光・測距ＣＰＵ１２０に指示して測光・測距ＣＰＵ１２０の制御の基、ＣＧ１１２１にＣＣＤ固体撮像素子１１２へ向けて露光開始信号を供給させてＣＣＤ固体撮像素子１１２に露光を開始させる。ＣＣＤ固体撮像素子１１２に露光を開始させたときに撮影補助光を発光させる必要がある場合には、ステップＳ４０３で通知されている各領域の被写体距離に応じた光量を測光・測距ＣＰＵ１２０に算出させ、算出させた光量でＬＥＤ制御部１６ａに各ＬＥＤ１６０ａ〜１６８ａの発光を行なわせる。
【００７０】
ステップＳ４０３で露光終了時に露光終了信号をＣＧ１１２１からＣＣＤ固体撮像素子１１２へ供給させたら、次のステップＳ４０４でＣＣＤ固体撮像素子１１２から画像信号をＡ／Ｄ部１１３へと出力させる。ステップＳ４０５で、Ａ／Ｄ部１１３にアナログの画像信号からデジタルの画像信号への変換を行わせてホワイトバランスγ処理部１１４へ供給させステップＳ４０６でホワイトバランスγ処理部１１４に画像処理を行なわせて画像処理を行なわせた画像信号をバッファ１１５に出力させる。そのバッファ１１５に出力させた画像信号を、タイミングを計ってＹＣ処理部１１６に供給させてＹＣ処理部１１６に画像処理を行わせ、次のステップへ進んでＳ４０７で圧縮・伸張部１１７に画像圧縮させた後、Ｉ／Ｆ１１８に媒体であるメモリカード１１９への記録を行わせてこのフローの処理を終了する。
【００７１】
ここで、ステップＳ４０３の露光処理を詳細に説明する。
【００７２】
図５は、ステップＳ４０３の露光処理の詳細を示すフローチャートである。
【００７３】
ステップＳ４０３１で、撮影補助光の照射を行なわせるにあたって配光を変更する必要があるかどうかを各領域ごとに測定された被写体距離（以降ＡＦ情報という）を基に判定する。このステップＳ４０３１では、例えば各領域で測定された被写体距離がすべて所定の距離以上であるような撮影シーンであった場合には各ＬＥＤ１６０ａ〜１６８ａの光量をすべて同じ光量にして照射させても良いと判定し、ポートレート撮影のように近距離に被写体がいてその近距離の被写体の周辺の被写体が無限遠方にあるような撮影シーンであった場合には近距離にいる被写体に対しての光量を抑制するように調節して配光を整えてから発光部１６に撮影補助光を照射させた方が良いと判定する。
【００７４】
このステップＳ４０３１で各領域の被写体距離がすべて所定の距離以上であると判定したら、変更なし側に進み、次のステップＳ４０３１１で全押し操作に応じてクロックジェネレータ１１２１に露光開始信号をＣＣＤ固体撮像素子１１２へ向けて供給させることにより電子シャッタ（メカシャッタがあったらメカシャッタも）を開けて、次のステップＳ４０３１２で、各ＬＥＤ１６０ａ〜１６８ａの光量を最大（フル）にして各ＬＥＤに撮影補助光を照射させる。次のステップＳ４０３１３で所定時間を経過したら自動的に各ＬＥＤの発光を停止させ、次のステップＳ４０３１４へ進みクロックジェネレータ１１２１に露光終了信号をＣＣＤ固体撮像素子１１２へ向けて供給させて電子シャッタを閉にしてこのフローの処理を終了する。
【００７５】
また、ステップＳ４０３１で、例えばポートレートなどの撮影を行なっていて中央の被写体が近距離にいると判定したら、すべての領域の光量を同じ光量にして撮影補助光を照射させると中央部分の光量が多くなりすぎて中央の被写体と周辺との間にアンバランスを生じさせることになると判定して変更側に進み、次のステップＳ４０３２１で図４のステップＳ３０２のＡＦ処理で得た各領域のＡＦ情報を基に各領域それぞれの光量をどの程度にしたらよいかを測光・測距ＣＰＵ１２０に算出させる。
【００７６】
次のステップＳ４０３２２で全押し操作に応じて電子シャッタを開けて、次のステップＳ４０３２３で、ステップＳ４０３２１の算出結果に応じた光量で各ＬＥＤ１６０ａ〜１６８ａそれぞれに撮影補助光を照射させる。所定時間を経過したら、ステップＳ４０３２４で自動的に各ＬＥＤ１６０ａ〜１６８ａの発光それぞれを停止させ、ステップＳ４０３２５でシャッタを閉じてこのフローの処理を終了する。
【００７７】
図６は、上記ステップＳ４０３２３で被写体に向けて撮影補助光を照射させたときの各照射領域の光量の分布つまり配光を説明する図である。
【００７８】
図６に示すように、例えばポートレート撮影を行なおうとしていて近距離エリア（中央領域１６４１ａおよび中央下領域１６７１ａ）に人物がいてそれ以外の周辺の領域には被写体が存在しないような場合には、各領域ごとに測定された被写体距離つまりＡＦ情報に応じて各領域に対応するＬＥＤそれぞれの光量を図６（ａ）に示すように中央領域１６４１ａおよび中央下領域１６７１ａの光量を少なくなるようにＬＥＤ発光制御部１６ａに調節させて撮影補助光を被写体に向けて照射させると、いままでのように近距離エリアである中央領域および中央下の領域に過度の撮影補助光が照射され過ぎてそれ以外の部分にはあまり補助光が照射されずにピント領域と周辺領域との間に輝度のアンバランスが生じるといった問題が回避される。
【００７９】
すなわち、好適な配光で被写体に向けて撮影補助光を照射させることができる発光部１６を備えた撮影装置が実現される。
【００８０】
また、図６で説明したポートレート撮影のように人物が撮影装置に対して近い距離にいる訳ではなく、人物も景色もこの撮影装置から所定の距離離れた位置に存在する場合には図７に示すような配光にして撮影補助光を照射することもできる。
【００８１】
図７は、図１に示すデジタルカメラ１００で撮影を行なうにあたって、そのデジタルカメラ１００から所定の距離離れた位置に人物も景色も存在する撮影シーンにおける配光を説明する図である。
【００８２】
人物も景色もデジタルカメラ１００から所定の距離離れた位置に存在する場合には、全体的に同じ光量で照射すると中央の人物と周辺の景色とが平坦なイメージの写真になってしまうこともあるので、図６に示す配光の代わりに図７に示すように中央および中央下方の部分に向けて多めの光量を照射させるようにしておくと、周辺の景色に比べて人物が強調されて人物が浮き上がるようになって全体にメリハリのある写真が得られる。
【００８３】
このように配光をいろいろと変更することによって人物が強調されるような鮮明な撮影が行なえるようにもなる。
【００８４】
すなわち、好適な配光で被写体に向けて撮影補助光を照射させることができる発光部１６を備えた撮影装置が実現される。
【００８５】
図８は、図１に示すデジタルカメラで撮影を行なおうとしているときに選択エリアＡＦモードによりＡＦエリアが中央の領域に設定された撮影シーンにあるときに、図６、図７とは異なる配光にして撮影を行なった場合を説明する図である。
【００８６】
操作によりＡＦエリアが中央の照射領域に対応する測距領域に設定された場合には、その中央の照射領域１６４１ａに対応するＬＥＤ１６４ａの発光光量を多めになるようにして各ＬＥＤ１６０ａ〜１６８ａの光量をそれぞれ調節することにより配光を整えて被写体に向けて撮影補助光を照射させることもできる。そうすると、中央領域に設定されたＡＦエリアに撮影補助光を多めに照射することにより周辺に比べて中央領域を強調するようにして撮影を行なうようなことが行なえる。
【００８７】
ここまでは、ＡＦ情報つまり測距結果に応じて配光を整えようとするものを説明してきたが、本実施形態の撮影装置においては撮影補助光を伴う撮影モードが指定された場合においてもその撮影モードに応じて配光を整えて撮影補助光を被写体に向けて照射させることができるようにしている。
【００８８】
図９は、グラデーション等の特殊撮影モードが指定された場合の処理手順を示すフローチャートである。図１０はグラデーションモードが指定されたときにステップＳ４０３２３で撮影補助光を照射させたときの配光を示す図である。
【００８９】
図６のステップＳ４０３１では被写体距離の測定結果に応じて配光を整えるかどうかを判定したが、図９のフローでは、ステップＳ４０３１Ａで撮影補助光を伴う撮影モードであるかどうかを判定するようにしている。例えば撮影補助光を伴う撮影モードであるグラデーションモードが指定されていて配光を整えて撮影補助光を照射させる必要があると判定したら変更側に進み、その撮影モードがグラデーションモードであったらグラデーションモードに応じたＬＥＤそれぞれの発光光量を測光・測距ＣＰＵに算出させている。
【００９０】
例えば左から右側に向けて輝度が暗くなるようにグラデーションを付けるようなグラデーションモードであった場合には、図１０に示す配光にして撮影補助光を照射させることもできる。
【００９１】
また、本実施形態のデジタルカメラには、姿勢検出センサ１１０１を設けてあるので、デジタルカメラの姿勢に応じて配光を自在に変更することができるようにしている。
【００９２】
図１１は、その姿勢検出センサ１１０１でデジタルカメラの姿勢を検出してその姿勢に応じた配光にしようとする場合の処理の手順を示すフローチャートである。図１２は、撮影装置を下方向に向けて構えて撮影を行なうときの配光を説明する図である。
【００９３】
図６のステップＳ４０３１では被写体距離の測定結果に応じて配光を整える必要があるかどうかを判定したが、図１１のフローでは、ステップＳ４０３１Ｂでこの撮影装置の姿勢に応じて配光を整える必要があるかどうかを判定するように変更している。例えば姿勢検出センサ１１０１でこの撮影装置が下向きであるとか上向きであるとかを検出したら、変更側に進み、ステップＳ４０３２１Ｂで姿勢に応じて各ＬＥＤの光量を算出させるように変更している。
【００９４】
このようにしておくと、撮影装置を下方向に向けて構えて撮影するときには、検出結果を測光・測距ＣＰＵ１２０に通知して、ステップＳ４０３２４でＬＥＤ発光制御部１６ａに図１２に示すように配光を整えさせて撮影補助光を照射させることができる。
【００９５】
ここでは、下方向に向けて撮影を行なおうとしたときに図１２に示す下側領域の被写体が近くに位置するということにして、図１２に示すように下側領域側の光量を少なめにして上方に向かうにしたがって光量を多くするように配光を整えてステップＳ４０３２３で撮影補助光の照射を被写体に向けて行なわせるようにしている。
【００９６】
図１２に示すように配光を整えて撮影補助光を照射させるようにすると、撮影装置を下方に向けて撮影を行なうときに生じ易い輝度むらが平均化されて鮮明な撮影が行なえるようになる。
【００９７】
図１３は、測光結果に応じて配光を変更するようにした場合の処理の手順を示すフローチャートである。図１４は、測光結果に応じた配光を説明する図である。
【００９８】
図６のステップＳ４０３１では被写体距離の測定結果に応じて配光を整える必要があるかどうかを判定したが、図１３のフローでは、ステップＳ４０３１Ｃで各領域ごとの測光結果に応じて配光を整える必要があるかどうかを判定するように変更している。ここではＣＣＤ固体撮像素子１１２による各測光領域での測光結果に応じて配光を変更する必要があるかどうかを判定するように変更している。例えば各領域の輝度に差があり過ぎて配光を整えさせて撮影補助光を照射させた方が良いと判定したら変更側に進み、ステップＳ４０３２１Ｃで測光結果に応じて各ＬＥＤの光量を算出させるように変更している。
【００９９】
このようにすると、撮影場所によっては、真上から人物の照明が行なわれていて被写体の上側の輝度が明るくて下側の輝度が暗くなるような撮影シーンの場合に、図１４に示すように上方にいくにしたがって光量が少なくなるような配光にして撮影補助光を照射させるようにすることもできる。
【０１００】
以上説明したように、簡単な構成で撮影補助光の配光を自在に変えることができる発光部を備えた撮影装置が提供される。
【０１０１】
なお、上記実施形態では、静止画撮影についてその処理を主に説明してきたが、動画撮影にあっては、測光結果や測距結果に応じて各ＬＥＤの発光光量を調節して配光を整えるようにして配光を変更しながら撮影補助光を照射させるような構成にしても良い。
【図面の簡単な説明】
【０１０２】
【図１】本発明の撮影装置の一実施形態であるデジタルカメラを示す図である。
【図２】図１のデジタルカメラ１００の内部に配備された信号処理部の構成ブロック図である。
【図３】撮影光学系が捉える撮影領域を説明する図である。
【図４】撮影補助光を被写体に照射させて撮影を行なうときの、メインＣＰＵ１１０が行なうメイン処理の手順を示すフローチャートである。
【図５】ステップＳ４０３の露光処理の詳細を示すフローチャートである。
【図６】上記ステップＳ４０３１で変更有り側に進んだときにステップＳ４０３２３で被写体に向けて撮影補助光を照射させた場合の各照射領域の光量の分布つまり配光を示す図である。
【図７】人物も景色もこの撮影装置から所定の距離離れた位置に存在する場合の配光を説明する図である。
【図８】ＡＦエリアモードが中央の領域に設定されたときの配光を説明する図である。
【図９】グラデーション等の特殊撮影モードが指定された場合の処理手順を示すフローチャートである。
【図１０】図１０はグラデーションモードが指定されたときにステップＳ４０３２３で撮影補助光を照射させたときの配光を示す図である。
【図１１】撮影装置を下方向に向けて構えて撮影を行なおうとしているときの処理の手順を示すフローチャートである。
【図１２】撮影装置を下方向に向けて構えて撮影を行なうときの配光を説明する図である。
【図１３】測光結果に応じて配光を変更するようにした場合の処理の手順を示すフローチャートである。
【図１４】測光結果に応じた配光を説明する図である。
【符号の説明】
【０１０３】
１００    デジタルカメラ
１１０    メインＣＰＵ
１２０    測光・測距ＣＰＵ
１６    発光部
１６ａ    ＬＥＤ発光制御部
１６０ａ〜１６８ａ    ＬＥＤ
【図１】
2006227380.tif 000003
【図２】
2006227380.tif 000004
【図３】
2006227380.tif 000005
【図４】
2006227380.tif 000006
【図５】
2006227380.tif 000007
【図６】
2006227380.tif 000008
【図７】
2006227380.tif 000009
【図８】
2006227380.tif 000010
【図９】
2006227380.tif 000011
【図１０】
2006227380.tif 000012
【図１１】
2006227380.tif 000013
【図１２】
2006227380.tif 000014
【図１３】
2006227380.tif 000015
【図１４】
2006227380.tif 000016